(57)【特許請求の範囲】
【請求項１】
前面を開口した保冷庫本体と、保冷庫本体の前面開口部の上部を開閉する上部開閉部材と、保冷庫本体の前面開口部の下部を開閉する下部開閉部材と、保冷庫本体の内面に設けられ、庫内の温度を検出する温度検出器とを備え、車両の荷台に搭載して使用される保冷庫において、
前記温度検出器を上部開閉部材よりも下方に配置し、
上部開閉部材を車両の荷台の側壁よりも上方に位置するように設けた
ことを特徴とする保冷庫。
【請求項２】
前記温度検出器を保冷庫本体内の背面寄りに配置した
ことを特徴とする請求項１記載の保冷庫。
【発明の詳細な説明】
【０００１】
【発明の属する技術分野】
本発明は、例えば冷凍または冷蔵の食品や飲料等を車両で運搬するための保冷庫に関するものである。
【０００２】
【従来の技術】
従来、食品や飲料等の物品の運搬、例えば牛乳の配達においては、小売店の商品を小型トラックに積載して配達先まで運搬しているが、最近では品質の維持等を目的として商品の温度管理が必要とされている。そこで、小型トラック等の車両の荷台に搭載した保冷庫に商品を収容し、小売店から配達先まで商品を保冷した状態で運搬するようにしている。また、このような目的で使用される車載用保冷庫としては、例えば特開平２−１０６６７７号公報に記載されているように、断熱性の保冷庫本体の前面に開閉扉を有し、保冷庫本体に付設された冷凍装置によって庫内を冷却するようにしたものが知られている。また、車載用保冷庫の他の例として、保冷庫本体の前面上部を開閉する上部開閉扉を備え、上部開閉扉を車両の荷台の側壁よりも上方に配置することにより、上部開閉扉の開閉のみによって物品の出し入れを行えるようにしたものが本出願人から提案されている（特願平１０−２７１０７４号）。
【０００３】
【発明が解決しようとする課題】
ところで、前記保冷庫では、例えば小売店等において、車両の荷台の側壁を開放し、上部開閉扉及び下部開閉扉の両方を開放して商品の収納を行った後、配達先では上部開閉扉のみを開閉して商品を取出すといった使用形態が多い。即ち、下部開閉扉よりも上部開閉扉の方が頻繁に開閉される。しかしながら、前記保冷庫では、保冷庫本体内に設けた温度検出器の検出温度に基づいて冷凍装置の制御等を行っているため、上部開閉扉の頻繁な開閉により、温度検出器の検出温度が外気の侵入による影響を受け易いという課題が残されていた。
【０００４】
本発明は前記問題点に鑑みてなされたものであり、その目的とするところは、上部開閉部材が頻繁に開閉される場合でも、外気の侵入による温度検出器への影響を少なくすることのできる保冷庫を提供することにある。
【０００５】
【課題を解決するための手段】
本発明は前記目的を達成するために、請求項１では、前面を開口した保冷庫本体と、保冷庫本体の前面開口部の上部を開閉する上部開閉部材と、保冷庫本体の前面開口部の下部を開閉する下部開閉部材と、保冷庫本体の内面に設けられ、庫内の温度を検出する温度検出器とを備え、車両の荷台に搭載して使用される保冷庫において、前記温度検出器を上部開閉部材よりも下方に配置し、上部開閉部材を車両の荷台の側壁よりも上方に位置するように設けている。これにより、保冷庫本体内の温度検出器が上部開閉部材よりも下方に配置されていることから、上部開閉部材のみを開放した状態では外部から侵入する空気が温度検出器まで容易に到達することはない。また、保冷庫の上部開閉部材は車両の側壁よりも上方に位置することから、保冷庫本体の前面側を車両の側壁に近接させた状態で上部開閉部材のみを開閉することができる。
【０００６】
また、請求項２では、請求項１記載の保冷庫において、前記温度検出器を保冷庫本体内の背面寄りに配置している。これにより、温度検出器が保冷庫本体内の背面寄りに配置されていることから、請求項１の作用を達成するためにより有利である。
【０００７】
【発明の実施の形態】
図１乃至図６は本発明の一実施形態を示すもので、図１は車載用保冷庫の全体斜視図、図２は上部開閉扉を開放した状態を示す車載用保冷庫の全体斜視図、図３は車載用保冷庫の正面断面図、図４は図３のＡ−Ａ線矢視方向断面図、図５はセンサユニットの分解斜視図、図６は車両への搭載状態を示す側面図である。
【０００８】
この車載用保冷庫は、前面を開口した保冷庫本体１と、保冷庫本体１の前面上部を開閉する上部開閉扉２と、保冷庫本体１の前面下部を開閉する下部開閉扉３とから構成されている。
【０００９】
保冷庫本体１は内部に断熱壁によって囲まれた物品収納部１ａを有し、その一側面側には機械室１ｂが設けられ、機械室１ｂ内には物品収納部１ａ内を冷却するための冷凍機器（図示せず）が収容されている。また、保冷庫本体１の前面には、庫内温度を表示する温度表示部１ｃが設けられている。
【００１０】
上部開閉扉２は断熱性の部材によって形成され、その幅方向一端側を複数の蝶番２ａによって保冷庫本体１に連結されている。この場合、上部開閉扉２は、図６に示すように保冷庫本体１の下端から高さＨよりも上方、即ち車両１０の荷台１１の側壁１２よりも上方に形成されている。また、上部開閉扉２の幅方向他端側には周知構造のロック部材２ｂが取付けられ、ロック部材２ｂは所定の操作により上部開閉扉２を保冷庫本体１側にロック及びロック解除するようになっている。
【００１１】
下部開閉扉３は断熱性の部材によって形成され、その幅方向一端側を複数の蝶番３ａによって保冷庫本体１に連結されている。また、下部開閉扉３の幅方向他端側には前述と同等のロック部材３ｂが取付けられている。
【００１２】
また、保冷庫本体１の物品収納部１ａ内には庫内温度検出用のセンサユニット４が取付けられ、センサユニット４は、庫内温度制御用の第１の温度センサ４ａと、庫内温度表示用の第２の温度センサ４ｂと、各温度センサ４ａ，４ｂが取付けられる取付板４ｃとからなる。第１の温度センサ４ａは冷凍機器の制御部（図示せず）に接続され、その検出温度に基づいて冷凍機器の圧縮機（図示せず）が制御されるようになっている。第２の温度センサ４ｂは保冷庫本体１の温度表示部１ｃに接続され、その検出温度に基づいて庫内の温度が表示されるようになっている。取付板４ｃは多数の通気孔４ｄを有し、各温度センサ４ａ，４ｂを覆うように板状に形成されている。このセンサユニット４は保冷庫本体１の内側面の背面寄りに取付けられ、上部開閉扉２よりも下方に配置されている。即ち、図６に示すようにセンサユニット４の上端の高さＬ1 は上部開閉扉２の下端の高さＬ2 よりも低く位置している。
【００１３】
以上のように構成された車載用保冷庫は、図６に示すように小型トラックからなる車両１０の荷台１１に搭載され、図示しないロープやベルト等によって荷台１１に固定される。この場合、保冷庫本体１は前面を車両１１の後方に向けて配置され、保冷庫本体１内への商品の出し入れは荷台１１の後方から上部開閉扉２を開閉することによって行われる。即ち、この車載用保冷庫では、例えば牛乳等の商品を保冷庫本体１内に収容し、商品を保冷庫本体１内で保冷した状態で小売店等から配達先まで運搬される。この場合、車両１０の側壁１２を開放し、各開閉扉２，３の両方を開放すれば、小売店等における商品の収納を容易に行うことができる。また、保冷庫の上部開閉扉２は車両１０の後部側壁１２よりも上方に形成されていることから、保冷庫本体１の前面側を車両１０の後端に近接させた状態で上部開閉扉２のみを開閉することができ、配達先等における商品の取出しを容易に行うことができる。その際、保冷庫本体１内のセンサユニット４が上部開閉扉２よりも下方に配置され、且つ保冷庫本体１内の背面寄りに配置されていることから、上部開閉扉２のみを開放した状態では外部から侵入する空気がセンサユニット４まで容易に到達することはない。
【００１４】
このように、本実施形態の車載用保冷庫によれば、保冷庫本体１内の温度を検出するセンサユニット４を上部開閉扉２よりも下方に配置したので、上部開閉扉２のみを開放した状態では外部から侵入する空気がセンサユニット４まで容易に到達することがなく、上部開閉扉２が頻繁に開閉される場合でも、外気の侵入によるセンサユニット４の各温度センサ４ａ，４ｂへの影響を極めて少なくすることができる。更に、センサユニット４を保冷庫本体１内の背面寄りに配置したので、侵入外気の影響をより少なくすることができる。
【００１５】
尚、前記実施形態では車両１０に搭載して運搬される車載用の保冷庫を示したが、移動を伴わずに任意の場所に設置される保冷庫にも本発明を適用することができる。
【００１６】
【発明の効果】
以上説明したように、請求項１及び２の保冷庫によれば、上部開閉部材が頻繁に開閉される場合でも、外気の侵入による温度検出器への影響を極めて少なくすることができ、庫内温度の制御等に極めて有利である。また、保冷庫本体の前面側を車両の側壁に近接させた状態で上部開閉部材のみを開閉することができるので、配達先等における商品の取出しを容易に行うことができる。
【図面の簡単な説明】
【図１】本発明の一実施形態を示す車載用保冷庫の全体斜視図
【図２】上部開閉扉を開放した状態を示す車載用保冷庫の全体斜視図
【図３】車載用保冷庫の正面断面図
【図４】図３のＡ−Ａ線矢視方向断面図
【図５】センサユニットの分解斜視図
【図６】車両への搭載状態を示す側面図
【符号の説明】
１…保冷庫本体、２…上部開閉扉、３…下部開閉扉、４…温度検出器。
【図１】
0004169877.tif 000002
【図２】
0004169877.tif 000003
【図３】
0004169877.tif 000004
【図４】
0004169877.tif 000005
【図５】
0004169877.tif 000006
【図６】
0004169877.tif 000007